(57)【特許請求の範囲】
【請求項１】
まくらぎの上に敷設されたレールを横断し、前記まくらぎに添ってケーブルを敷設するためのまくらぎ用ケーブル敷設金具であって、前記まくらぎの上端部に固定された固定部と、当該固定部から前記まくらぎの側方に張りだし、前記ケーブルを把持するケーブル保持部とから構成され、かつ前記ケーブル保持部の下端部は下方向に徐々に小径となるテーパ状に形成されてなることを特徴とするまくらぎ用ケーブル敷設金具。
【請求項２】
固定部は、まくらぎの上端部にボルトによって固定されてなることを特徴とする請求項１記載のまくらぎ用ケーブル敷設金具。
【請求項３】
まくらぎと、当該まくらぎの上に敷設されたレールを横断し、前記まくらぎに添って敷設されたケーブルを保持するまくらぎ用ケーブル敷設金具とからなり、前記まくらぎ用ケーブル敷設金具は前記まくらぎの上端部に固定された固定部と、当該固定部から前記まくらぎの側方に張りだし、前記ケーブルを保持するケーブル保持部とから構成され、かつ前記ケーブル保持部の下端部は下方向に徐々に小径となるテーパ状に形成されてなることを特徴とするケーブル敷設用まくらぎ。
【請求項４】
まくらぎは敷設されたまくらぎであることを特徴とする請求項３記載のケーブル敷設用まくらぎ。
【発明の詳細な説明】
【技術分野】
【０００１】
本発明は、信号系統や通信系統のケーブルをまくらぎの上に敷設されたレールを横断し、まくらぎに添って敷設するためのまくらぎ用ケーブル敷設金具および当該まくらぎ用ケーブル敷設金具を備えたケーブル敷設用まくらぎに関するものである。
【背景技術】
【０００２】
鉄道線路における道床上には、まくらぎと当該まくらぎに支持されたレールの他に信号系統や通信系統のケーブルが多数敷設され、当該ケーブルの一部はレールを横断して敷設されている。
【０００３】
従来、信号系統や通信系統のケーブルを、レールを横断して敷設するには、例えば、図４(ａ)〜(ｃ)に図示するように、ケーブル１０がレール１１，１１を横断する位置に、図示するような長手方向に連続する切欠き１２ａを有するまくらぎ１２を敷設し、当該まくらぎ１２の切欠き１２ａの上にケーブル１０を敷設していた。
【０００４】
また特に、バラスト道床にあっては、バラスト１３の突き固め等の際にケーブル１０を損傷しないようにその上側にケーブル防護カバー１４を取り付けていた。
【特許文献１】特開平９−２５６３０２号公報
【特許文献２】特開平１１−３３６００１号公報
【特許文献３】特開２００３−１４７７０１号公報
【発明の開示】
【発明が解決しようとする課題】
【０００５】
しかし、上記した切欠き１２ａを有するまくらぎ１２は、専用の製造型枠を用いて成形されており、また断面欠損による強度低下を回避する必要から、大きめの断面に形成されているため、まくらぎ１２の製造コストが高くつく等の課題があった。
【０００６】
また、軌道の敷設に際しては、通常断面のまくらぎの他に、ケーブル１０がレール１１，１１を横断する位置には、上記した切欠き１２ａを有するまくらぎ１２を敷設する必要があり、さらにバラスト道床の場合にいたっては、切欠き１２ａを有するまくらぎ１２の周囲ではまくらぎ１２の曲げ剛性が大き過ぎるためにバラスト道床への変位・追従が非常に小さく、そのため、バラストの突き固めや冶具による整正がしにくく、まくらぎの敷設・整正が非常に困難になる等の課題があった。
【０００７】
本発明は、以上の課題を解決するためになされたもので、特にレールを横断する信号系統や通信系統などのケーブルを、通常のまくらぎを利用して簡単に敷設できるようにしたまくらぎ用ケーブル敷設金具およびケーブル敷設用まくらぎを提供することを目的とする。
【課題を解決するための手段】
【０００８】
請求項１記載のまくらぎ用ケーブル敷設金具は、まくらぎの上に敷設されたレールを横断し、前記まくらぎに添ってケーブルを敷設するためのまくらぎ用ケーブル敷設金具であって、まくらぎの上端部に固定された固定部と、当該固定部から前記まくらぎの側方に張りだし、前記ケーブルを保持するケーブル保持部とから構成され、かつ前記ケーブル保持部の下端部は下方向に徐々に小径となるテーパ状に形成されてなることを特徴とするものである。
【０００９】
本発明のまくらぎ用ケーブル敷設金具を用いることで、レールを横断する信号系統や通信系統などのケーブルを、通常のまくらぎを利用し、当該まくらぎに添わせて簡単に敷設することができる。
【００１０】
また、通常のまくらぎを利用できることで、大幅なコスト削減が図れるとともに、バラストの突き固めや冶具による整正がしやすく、まくらぎの敷設・整正が非常に容易になる。
【００１１】
なお、当該まくらぎ用ケーブル敷設金具の固定部とケーブル保持部は、例えば曲げ加工により一枚の鋼板から簡単に形成することができる。
【００１３】
また特に、バラスト道床にまくらぎを敷設する際に、ケーブル保持部がまくらぎの側方に張り出して敷設作業の障害とならないように、バラスト道床に対する抵抗を低減したものである。
【００１４】
こうすることで、バラストの突き固めや冶具による整正がしやすく、まくらぎの敷設・整正が非常に容易になる。
【００１５】
請求項２記載のまくらぎ用ケーブル敷設金具は、請求項１記載のまくらぎ用ケーブル敷設金具において、固定部は、まくらぎの上端部にボルトによって固定されてなることを特徴とするものである。
【００１６】
本発明は、在来のまくらぎ、さらにはバラスト道床などの上にすでに敷設されているまくらぎにも使用できようにしたものであり、この場合、まくらぎにドリル等で孔をあけ、当該孔内にボルトを螺合するためのインサートナットを埋め込むだけで、まくらぎの上にケーブル敷設用金具をボルトによって簡単に取り付けることができる。
【００１７】
請求項３記載のケーブル敷設用まくらぎは、まくらぎと、当該まくらぎの上に敷設されたレールを横断し、前記まくらぎに添って敷設されたケーブルを保持するまくらぎ用ケーブル敷設金具とからなり、前記まくらぎ用ケーブル敷設金具は前記まくらぎの上端部に固定された固定部と、当該固定部から前記まくらぎの側方に張りだし、前記ケーブルを保持するケーブル保持部とから構成され、かつ前記ケーブル保持部の下端部は下方向に徐々に小径となるテーパ状に形成されてなることを特徴とするものである。
【００１８】
請求項４記載のケーブル敷設用まくらぎは、請求項３記載のケーブル敷設用まくらぎにおいて、まくらぎは敷設されたまくらぎであることを特徴とするものである。本発明はバラスト道床などの上にすでに敷設されているまくらぎにも使用できようにしたものである。
【００１９】
この場合、既に敷設されたまくらぎにドリル等で孔をあけ、当該孔内にボルトを螺合するためのインサートナットを埋め込むだけで、まくらぎにケーブル敷設用金具を、前記インサートナットに螺合されるボルトによって簡単に取り付けることができるため、すでに敷設されているまくらぎに沿わせて、レールの下側を横断する通信系統や信号系統のケーブルを簡単に敷設することができる。
【発明の効果】
【００２０】
本発明によれば、レールを横断する信号系統や通信系統などのケーブルを、通常のまくらぎを利用し、当該まくらぎに添わせて簡単に敷設することができる等の効果を有する。
【００２１】
また、通常のまくらぎを利用できることで、大幅なコスト削減が図れるとともに、バラストの突き固めや冶具による整正がしやすく、まくらぎの敷設・整正が非常に容易になる。さらに、道床の上にすでに敷設されているまくらぎにも適用することができる。
【発明を実施するための最良の形態】
【００２２】
図１〜図３は、鉄道線路の一例を示し、バラスト道床１の上にＰＣまくらぎ２が所定間隔おきに敷設され、当該ＰＣまくらぎ２の上にレール３，３が敷設され、さらに当該ＰＣまくらぎ２とレール３，３とからなる軌きょうの周辺に信号系統や通信系統のケーブルが敷設され、一部のケーブル４はレール３，３を横断して敷設されている。
【００２３】
レール３，３を横断するケーブル４は、ＰＣまくらぎ２の側部を当該ＰＣまくらぎ２の長手方向に沿ってレール３，３の下側に敷設されている。また、ケーブル４は複数のまくらぎ用ケーブル敷設金具５によってＰＣまくらぎ２側に抱え込むように保持されている。
【００２４】
まくらぎ用ケーブル敷設金具５は、ＰＣまくらぎ２の上端部に固定された固定部５ａと当該固定部５ａの両側からＰＣまくらぎ２の側方にそれぞれ張り出し、ケーブル４をＰＣまくらぎ２側に抱え込むように保持するケーブル保持部５ｂ，５ｂとから形成されている。
【００２５】
さらに、ケーブル保持部５ｂは、ケーブル４の外周に沿って連続する天板部５ｃと側板部５ｄと傾斜部５ｅとから形成され、傾斜部５ｅの下端部にはＰＣまくらぎ２の側壁に沿って下方に伸びるリップ部５ｆが形成されている。
【００２６】
また、ケーブル保持部５ｂの下端部は、傾斜部５ｅを有することで下方向に徐々に小径となるテーパ状に形成されている。
【００２７】
このように形成されたまくらぎ用ケーブル敷設金具５は、ＰＣまくらぎ２の両端部と中間部に複数設置され、それぞれ固定部５ａを貫通し、ＰＣまくらぎ２の上端部に埋設されたインサート６に螺合されたボルト７によってＰＣまくらぎ２に固定されている。
【００２８】
なお、図２(ａ)、(ｂ)は、ＰＣまくらぎ２の側部にケーブル受け台８を突設し、このケーブル受け台８にケーブル４を載せてケーブル４が垂れ下がらないようにするとともに、ＰＣまくらぎ２の接地面積を大きくして道床抵抗力を増大させたものである。
【産業上の利用可能性】
【００２９】
本発明は、レールを横断する通信系統や信号系統のケーブルを通常のまくらぎを用い、当該まくらぎの側部に簡単に敷設することができる。
【図面の簡単な説明】
【００３０】
【図１】鉄道線路の一例を示し、（ａ）はその一部平面図、（ｂ）は（ａ）におけるイ−イ線断面図である。
【図２】鉄道線路の一例を示し、（ａ）はその一部平面図、（ｂ）は（ａ）におけるイ−イ線断面図である。
【図３】（ａ）は、図１（ｂ）および図２（ｂ）におけるロ−ロ線断面図、（ｂ）は図１（ｂ）および図２（ｂ）におけるハ−ハ線断面図である。
【図４】従来の鉄道線路の一例を示し、（ａ）はその一部平面図、（ｂ）は（ａ）における二−二線断面図、（ｃ）は（ｂ）におけるホ−ホ線断面図である。
【符号の説明】
【００３１】
１  バラスト道床
２  ＰＣまくらぎ
３  レール
４  ケーブル
５  まくらぎ用ケーブル敷設金具
６  インサート
７  ボルト
８  ケーブル受け台
【図１】
0004657076.tif 000002
【図２】
0004657076.tif 000003
【図３】
0004657076.tif 000004
【図４】
0004657076.tif 000005